(57)【特許請求の範囲】
【請求項１】
スプリングのバネ力により初期位置を維持する１つのペダルと、
前記ペダルの回動に連動して回動する操作板と、
前記初期位置から前記ペダルの踏み込みによる所望位置での前記操作板の上方からの押圧力によりオン状態となり、かつ、前記ペダルの初期位置への戻りに連動する前記操作板の下方からの押圧力ではオフ状態を維持する１つのスイッチと、
前記スイッチのオン状態でモータポンプが動作して油がシリンダ内に供給され上昇する椅子等の昇降部材と、
前記ペダルが前記所望位置よりも踏み込まれるとペダルに連動して回動する押下リンクが回動して前記シリンダ内の油を排油して前記昇降部材を下降させる操作杆と、
前記初期位置にあるペダルを蹴上げることで前記シリンダのラムをロックするロック手段と、
より構成したことを特徴とする理美容椅子等の昇降装置。
【請求項２】
前記ペダルの踏み込み時に前記スイッチがオン状態となっても所定の遅延時間の後に前記モータポンプを駆動するようにして前記ラムの下降操作時にラムが上昇しないようにしたことを特徴とする請求項１記載の理美容椅子等の昇降装置。
【請求項３】
前記ペダルは平面視でコ字状に形成され踏み込み部の幅が長く形成されていることを特徴とする請求項１記載の理美容椅子等の昇降装置。
【発明の詳細な説明】
【技術分野】
【０００１】
本発明は、理美容椅子、歯科用椅子等の昇降装置であって、１つのペダルによって昇降部材である椅子の昇降および回転のロック・アンロックが行えるようにした理美容椅子等の昇降装置に関する。
【背景技術】
【０００２】
従来における理美容椅子等の椅子を昇降させる手段としては、例えば、特開２０００−１４４７５公報に開示されているように、椅子の背面側に設けられた２つのペダルの１つを踏み込むことで椅子を上昇させ、また、他のペダルを踏み込むことで上昇している椅子を下降させるものであった。
【特許文献１】特開２０００−１４４７５公報
【発明の開示】
【発明が解決しようとする課題】
【０００３】
ところで、前記した椅子の昇降を操作するためには２つのペダルを選択して椅子の上昇と下降を制御するものであるため、不慣れな理美容師が被施術者に対して「下降させます」と言って上昇用のペダルを踏み込んでしまって被施術者を驚かせたりすることがあり、また、理美容師も操作性に複雑さを感じるといった問題があった。
【０００４】
また、２つのペダルを椅子の背面側に設ける場合には、背面側の中心線から左右にある程度離れて設置するために、椅子の横方向から足先で操作する時に一方のペダルは近いので操作が行い易いが、他方のペダルまでの距離が長くなるため操作が悪いといった問題もあった。
【０００５】
本発明は前記した問題点を解決せんとするもので、その目的とするところは、１つのペダルを軽く踏み込むことで椅子を上昇させ、深く踏み込むことで椅子を下降させ、また、ペダルを蹴り上げることで椅子の回転を阻止するといった簡単な操作によって椅子の昇降と回転のロック・アンロックが行えるので、理美容師の作業中における操作が簡単で間違えることが少なく、かつ、椅子の回転ロックも１つのペダルで行うことができる理美容椅子等の昇降装置を提供せんとするにある。
【課題を解決するための手段】
【０００６】
本発明の理美容椅子等の昇降装置は前記した目的を達成せんとするもので、請求項１の手段は、スプリングのバネ力により初期位置を維持する１つのペダルと、前記ペダルの回動に連動して回動する操作板と、前記初期位置から前記ペダルの踏み込みによる所望位置での前記操作板の上方からの押圧力によりオン状態となり、かつ、前記ペダルの初期位置への戻りに連動する前記操作板の下方からの押圧力ではオフ状態を維持する１つのスイッチと、前記スイッチのオン状態でモータポンプが動作して油がシリンダ内に供給され上昇する椅子等の昇降部材と、前記ペダルが前記所望位置よりも踏み込まれるとペダルに連動して回動する押下リンクが回動して前記シリンダ内の油を排油して前記昇降部材を下降させる操作杆と、前記初期位置にあるペダルを蹴上げることで前記シリンダのラムをロックするロック手段とより構成したことを特徴とする。
【０００８】
請求項２の手段は、前記した請求項１において、前記ペダルの踏み込み時に前記スイッチがオン状態となっても所定の遅延時間の後に前記モータポンプを駆動するようにして前記ラムの下降操作時にラムが上昇しないようにしたことを特徴とする。
【００１１】
請求項３の手段は、前記した請求項１において、前記ペダルは平面視でコ字状に形成され踏み込み部の幅が長く形成されていることを特徴とする。
【発明の効果】
【００１２】
本発明は前記したように、１つのペダルを初期位置から所望位置まで踏み込むことで椅子等の昇降部材が上昇し、さらに踏み込むことで昇降部材が下降するようにしたので、操作ミスを起こすことがなく、かつ、操作性に優れると共に構造が簡単でコストの低減を図ることができる。
【００１３】
また、初期位置にあるペダルを蹴上げることでシリンダのラムの回転をロックして昇降部材の回転を阻止することができ、さらに、昇降部材を下降させる際に前記所望位置を通過しても遅延回路によって昇降部材を上昇させることなく下降させることができ、動作の安定性を図ることができ、また、ペダルを横長としたことにより昇降部材の横方向からの操作も行え操作性に優れている等の効果を有するものである。
【発明を実施するための最良の形態】
【００１４】
本発明は、１つのペダルを所望位置まで踏み込むことで昇降部材を上昇させ、また、所定位置よりもさらに踏み込むことで昇降部材を下降させ、さらに、ペダルを蹴上げることで昇降部材の回転をロックする。
【実施例１】
【００１５】
以下、本発明に係る理美容椅子等の昇降装置の一実施例を理美容椅子の例として図面と共に説明する。
１は台盤、２は該台盤１上に固定された油タンクを有するモータポンプ、３は同じく台盤１上に取付けられ前記モータポンプ２と接続された油圧シリンダが内蔵されたハウジングにして、該ハウジング３の上面からは前記油圧シリンダのラム３ａの上端が突出され、このラム３ａの上端には椅子の座部（図示せず）が取付けられている。また、前記ハウジング３内には押下することでシリンダ内に滞留している油を前記モータポンプの油タンクに戻すための操作杆３ｂが内蔵され、この操作杆３ｂの上端がハウジング３の上面より突出している。
【００１６】
４は前記ハウジング３の上面に固定された支持ブロックにして、図１において左右方向に延長した回転軸４ａが取付けられている。そして、この回転軸４ａにはコの字状に形成されたペダル５の両端が取付けられると共に前記操作杆３ｂを押下するためのコの字状の押下リンク６が取付けられ、さらに、前記回転軸４ａには後述するマイクロスイッチ（以下、単にスイッチという）７をオンするための操作板８が取付けられている。
【００１７】
９は前記基盤１側から起立した３本のパイプ状支柱９ａによって支持固定された支持板にして、前記支柱パイプ９ａの１つには上下動可能なピン（図示せず）が挿入され、かつ、該ピンの外周にはスプリング９ｂが外装され、該スプリング９ｂの先端は前記した操作板８の下面に当接している。従って、このスプリング９ｂのバネ力によって操作板８は図１，２に示す位置、すなわち、操作板８がスイッチ７の操作片７ａを操作しない位置まで押し上げられている。また、この状態においては押下リンク６は操作杆３ｂから離れた上方に位置している。以下、この状態（図１，２に示す位置）を初期位置という。
【００１８】
前記スイッチ７は前記した支持板９から起立した起立板９ｃに取付けられており、前記初期位置においてペダル５を踏み込み回転軸４ａを回転させる途中において操作板８がスイッチ７の操作片７ａを押してオン状態とし、さらに、ペダル５を踏み込むと操作板８は操作片７ａから外れてスイッチ７をオフとするような状態に取付けられている。
【００１９】
１０は前記支持ブロック４の上方に取付けられたロック手段にして、前記油圧シリンダのラム３ａの外周に位置して取付けられ、ネジを締め付けることでラム３ａの回転を阻止する構造となっている。すなわち、回動することでネジを締め付けあるいは緩める作用をする第１リンク１０ａと、該第１リンク１０ａと一端が軸支され他端が前記操作板８に取付けられた第２リンク１０ｂとより構成されており、ペダル５を蹴り上げて該ペダル５を押し上げると、操作板８が時計方向に回動されて第１リンク１０ａが反時計方向に回動されるのでネジが締め付けられてラム３ａをロック状態とする。
【００２０】
１１は前記支持板９より垂下した状態で取付けられたモータポンプ２を駆動制御するための制御回路にして、後に詳述する遅延回路が含まれている。
【００２１】
次に、前記した構成に基づいて動作を説明する。
図１、図２で示す初期位置における椅子を上昇させる動作について説明するに、ペダル５をスプリング９ｂのバネ力に抗して踏み込むと、操作板８が反時計方向に回動してスイッチ７の操作片７ａを押してスイッチ７がオンの状態になる。なお、この位置においてクリック感を与えるような構造とすることが望ましい。
【００２２】
このスイッチ７のオンによりモータポンプ２が駆動して油をシリンダ内に供給するので、ラム３ａは上昇を開始する。この時、ロック手段１０によるラム３ａのロックは前記したように解除された状態となっている（図３参照）。そして、希望する高さ位置（椅子の高さ位置）までラム３ａを上昇させてペダル５から足を離すと、スプリング９ｂのバネ力によって操作板８が時計方向に回動されるので、ペダル５は初期位置に戻って停止する。
【００２３】
次に、上昇状態の椅子を下降させる動作について説明するに、ペダル５を前記した椅子を上昇させる踏み込み量より多く踏み込むと押下リンク６が反時計方向に回動して操作杆３ｂを押下する。該操作杆３ｂが押し下げられると公知のように油圧シリンダ内の油が油タンク内に戻されるので、ラム３ａは下降を開始し椅子が下降する（図４参照）。そして、希望する高さ位置、あるいは最下降位置までラム３ａを下降させた位置においてペダル５から足を離すと、スプリング９ｂのバネ力によって操作板８が時計方向に回動されるので、ペダル５は初期位置に戻って停止する。
【００２４】
次に、椅子の回転をロックする動作について説明するに、ペダル５を被施術者が爪先で蹴上げるようにして該ペダル５を押し上げると、ペダル５が時計方向に回動するので、第２リング１０ｂを介して第１リンク１０ａの先端が反時計方向に回動され、その結果、ネジが締め付けられラム３ａの外周を締め付けてロック状態とする。これによりラム３ａの回転が阻止されるので、椅子の回転が阻止されて各種の施術が行えるようになる。また、ペダル５を踏み込むと前記した動作とは逆の動作が行われネジが緩められるので椅子を回転することが可能となる。
【００２５】
前記した動作説明において、ラム３ａを下降させ椅子を下降させるためにペダル５を大きく踏み込むと、この踏み込み時にスイッチ７を一端オン状態とし、その後にスイッチ７はオフ状態となるために、前記オン状態（踏み込み速度によってオン時間は異なるが、一般的に被施術者がペダル５を踏み込む速度は０．１〜０．５秒）においてモータポンプ２が動作して油がシリンダ内に供給されラム３ａが僅かではあるが上昇して着座している被施術者に対してショックを与える可能性がある。
なお、前記したメカ的なスイッチに変えて電気的なスイッチ、例えば、光センサや磁気センサ等を使用してもよい。
【００２６】
そこで、図６に示すようにスイッチ７とモータポンプ２との間に、スイッチ７がオンしてからモータポンプ２を駆動するための時間を遅らせるための遅延回路１１を接続することで解決することが可能となる。すなわち、スイッチ７がオンしてから前記遅延時間の間にはモータポンプ２への通電は行われない。そして、遅延時間が経過した時には押下リンク６はスイッチ操作位置を外れているので、モータポンプ２への通電は行われず、従って、ラム３ａの上昇は行われない。
【００２７】
そして、ラム３ａの下降を停止するためにペダル５から足を離すと、該ペダル５の戻り時に押下リンク６が再びスイッチ７をオン状態とするが、前記した遅延回路１１によって前記遅延時間内に於ける押下リンク６によるスイッチ７のオンによってモータポンプ２の通電は行われず、従って、停止時にもラム３ａが上昇することはない。
【００２８】
また、ラム３ａを下降させる時にスイッチ７をオンしてもラム３ａを上昇させないようにするための他の例としては図７に示すものが考えられる。すなわち、モータポンプ２とシリンダとの間にアキュムレータ１２とオリフィス１３とを直列的に接続することで、スイッチ７がオン状態となってモータポンプ２が動作しても、該モータポンプ２から供給される油は一端アキュムレータ１２に貯留されるので、短時間のモータポンプ２の駆動ではシリンダ内に油が供給されることはなく、従って、ラム３ａが上昇することはない。
【００２９】
ところで、前記した動作においてラム３ａの下降を停止するためにペダル５から足を離すと押下リンク６によって再びスイッチ７がオン状態となると、前記アキュムレータ１１内の圧力が上昇したままとなっているので、スイッチ７がオン状態となることでラム３ａは上昇する。そこで、スイッチ７が押下リンク６の上方からの移動ではオンするが、下方からの移動ではオン状態としない一方向操作手段をスイッチ７の操作片７ａに取付ける。
【００３０】
すなわち、図８に示すように操作片７ａに起立片７ｂを取付け、該起立片７ｂに回動片７ｃを回動自在に取付け、該回動片７ｃにローラ７ｄを取付ける。そして、回動片７ｃの起立片７ｂとの軸支部分にストッパ片７ｅを設けて回動片７ｃを上方からの押下リンク６の移動には操作片７ａを変位させてスイッチをオン状態とするが、下方からの移動には回動片７ｃは起立片７ｂに対して上方に回動してスイッチはオン状態とならないように構成されている。
【００３１】
このように構成することで、ラム３ａの下降を停止するためにペダル５から足を離してペダル５が回動し押圧リンク６が下方から回動片７ｃを操作しても、該回動片７ｃによってスイッチがオン状態とならないので、モータポンプ２への通電が行われず、従って、ラム３ａが上昇すくことなく停止することになる。
【図面の簡単な説明】
【００３２】
【図１】本発明の理美容椅子等の昇降装置の初期状態を示す斜視図である。
【図２】同上の側面図である。
【図３】ラムを上昇している状態の側面図である。
【図４】ラムを下降させている状態の側面図である。
【図５】ラムを回転可能としているアンロック状態の側面図である。
【図６】ラムの下降時において上昇するのを阻止するための回路図である。
【図７】同上の油圧によって上昇するのを阻止するための油圧回路である。
【図８】ペダルの戻り時にスイッチをオンしないようにしたスイッチの動作説明図図であり、（ａ）はペダルを踏み込んだ時の側面図、（ｂ）はペダルの戻り時の側面図である。
【符号の説明】
【００３３】
２          モータポンプ
３ａ        ラム
１２        アキュムレータ
５          ペダル
７          検出手段（スイッチ）
【図１】
0004769075.tif 000002
【図２】
0004769075.tif 000003
【図３】
0004769075.tif 000004
【図４】
0004769075.tif 000005
【図５】
0004769075.tif 000006
【図６】
0004769075.tif 000007
【図７】
0004769075.tif 000008
【図８】
0004769075.tif 000009